(57)【要約】【課題】監視制御機器および数値設定の操作履歴を確認しながらの操作入力を容易にする。【解決手段】監視制御画面上のシンボルや文字列をマウス等で選択することで操作ウィンドウを表示し、この操作ウィンドウ画面への操作入力で機器操作入力または数値設定入力を行うとき、メッセージリストとして記憶される操作履歴データのうち、操作入力された最新の時刻と、設定後情報／設定前情報を履歴表示部Ａ１またはＡ２に表示する。  操作ウィンドウ画面に操作履歴ボタンを設け、この操作履歴ボタンを選択操作したときに、１日当たりの操作履歴情報をメッセージウィンドウで表示すること、監視制御画面上のシンボルや文字列をマウス等で選択したときに、操作ウィンドウとメッセージウィンドウを一括表示することを含む。【選択図】図１
2008102647.tif 000002
【特許請求の範囲】
【請求項１】
監視制御画面上のシンボルや文字列をポインティングデバイスで選択することで操作ウィンドウを表示し、この操作ウィンドウ画面への操作入力で機器操作入力または数値設定入力を可能にする監視制御システムの操作ウィンドウの表示方法であって、
メッセージリストとして記憶される操作履歴データのうち、操作入力された最新の時刻と、設定後情報／設定前情報を前記操作ウィンドウ画面に表示することを特徴とする監視制御システムの操作ウィンドウの表示方法。
【請求項２】
前記操作ウィンドウ画面に操作履歴ボタンを設け、この操作履歴ボタンを選択操作したときに、１日当たりの操作履歴情報をメッセージウィンドウで表示することを特徴とする請求項１に記載の監視制御システムの操作ウィンドウの表示方法。
【請求項３】
前記監視制御画面上のシンボルや文字列をポインティングデバイスで選択したときに、前記操作ウィンドウとメッセージウィンドウを一括表示することを特徴とする請求項１または２に記載の監視制御システムの操作ウィンドウの表示方法。
【発明の詳細な説明】
【技術分野】
【０００１】
本発明は、監視制御システムにおける操作ウィンドウの表示方法に関する。
【背景技術】
【０００２】
監視制御システムは、現場側の各種設備・機器の計測値などの多くの監視情報を監視室側のコンピュータシステムに収集し、監視室側では監視情報およびオペレータによる操作情報を基に制御情報を生成して現場側のコントローラに伝送し、コントローラによる設備・機器の制御を行う機能構成にされる。
【０００３】
監視室側のコンピュータシステムは、監視制御対象となるプラントの監視制御情報を主に処理する監視制御用コンピュータと、管理情報を処理する管理用コンピュータをＬＡＮなどでネットワーク接続し、各種情報のやり取りを可能にしている。
【０００４】
これらコンピュータにおけるヒューマンインタフェースの１機能として、操作ウィンドウが設けられる（例えば特許文献１参照）。操作ウィンドウは、監視制御画面上のシンボルや文字列をマウス等のポインティングデバイスで選択することで表示される。この操作ウィンドウには機器操作ウィンドウと数値設定ウィンドウがある。
【０００５】
機器操作ウィンドウは、図４の（ａ）に画面例を示すように、各種設備・機器の現在状態（運転状態、モード状態など）と制御操作項目を表示し、オペレータが機器の状態を監視・確認してウィンドウ内の制御操作項目を選択することにより、機器の操作・制御データの入力処理を実行する。
【０００６】
数値設定ウィンドウは、図４の（ｂ）に画面例を示すように、各種データの現在値を表示し、オペレータがウィンドウ内の数値設定項目に数値を入力操作することにより設定数値データの入力処理を実行する。
【特許文献１】特開平０７−２１０２４０号公報
【発明の開示】
【発明が解決しようとする課題】
【０００７】
従来の操作ウィンドウによるウィンドウ表示には、機器制御や数値設定の操作入力のためのウィンドウは表示されるが、これら操作入力の履歴表示がされていない。この操作入力の履歴は、図５にメッセージリスト画面例を示すように、画面をメッセージリスト画面に切り替え、このメッセージリスト画面で検索し、確認可能にしていた。
【０００８】
このため、操作ウィンドウ画面での操作入力に際して、その操作入力の履歴を知るためには、メッセージリスト画面に一旦切り替え、その確認で再び操作ウィンドウ画面に戻すという煩わしい操作を必要とする。
【０００９】
また、メッセージリスト画面で確認しながら同時の操作入力ができないため、不適当な操作入力を起こすおそれがある。
【００１０】
本発明の目的は、操作履歴を確認しながらの操作入力を容易にする操作ウィンドウの表示方法を提供することにある。
【課題を解決するための手段】
【００１１】
本発明は、前記の課題を解決するため、操作ウィンドウ画面上に直前の操作履歴、または１日当たりの操作履歴を表示可能にしたもので、以下の方法を特徴とする。
【００１２】
（１）監視制御画面上のシンボルや文字列をポインティングデバイス等で選択することで操作ウィンドウを表示し、この操作ウィンドウ画面への操作入力で機器操作入力または数値設定入力を可能にする監視制御システムの操作ウィンドウの表示方法であって、
メッセージリストとして記憶される操作履歴データのうち、操作入力された最新の時刻と、設定後情報／設定前情報を前記操作ウィンドウ画面に表示することを特徴とする。
【００１３】
（２）前記操作ウィンドウ画面に操作履歴ボタンを設け、この操作履歴ボタンを選択操作したときに、１日当たりの操作履歴情報をメッセージウィンドウで表示することを特徴とする。
【００１４】
（３）前記監視制御画面上のシンボルや文字列をポインティングデバイス等で選択したときに、前記操作ウィンドウとメッセージウィンドウを一括表示することを特徴とする。
【発明の効果】
【００１５】
以上のとおり、本発明によれば、操作ウィンドウ画面上に直前の操作履歴、または１日当たりの操作履歴を表示可能にしたため、操作履歴を確認しながらの操作入力が容易になる。具体的には、
・操作履歴をメッセージリスト画面に切り替えて確認する操作が不要になる。
【００１６】
・直前の操作履歴または１日当たりの操作履歴を確認した操作になり、操作入力の誤りを防止できる。
【００１７】
・監視制御画面上のシンボルや文字列の選択で、操作ウィンドウと操作履歴を一括表示して、操作入力が簡単なる。
【発明を実施するための最良の形態】
【００１８】
図１は、本発明の実施形態を示す操作ウィンドウ画面であり、（ａ）には機器操作ウィンドウ画面を、（ｂ）には数値設定ウィンドウ画面を示す。
【００１９】
同図が図４と異なる部分は、メッセージリストとして記憶されてメッセージリスト画面に表示される操作履歴データのうち、操作入力された最新の時刻と、設定後情報／設定前情報を操作ウィンドウ画面に表示する点にある。
【００２０】
図１の（ａ）に示す機器操作ウィンドウでは、操作対象機器「曝気槽撹拌装置１号」について、履歴表示部Ａ１には、機器操作時刻「１０：００：００」と、この時刻に当該機器を停止させたことを意味する設定後情報「停止」および設定前情報「（運転）」を表示する。
【００２１】
この表示により、「曝気槽撹拌装置１号」は、「１０時００分００秒」に「運転」から「停止」に操作されたことをオペレータが確認することができ、この確認を基に次の操作を行うことができる。
【００２２】
図１の（ｂ）に示す数値設定ウィンドウでは、数値設定対象項目「ディッチ１号ＤＯ設定値」について、履歴表示部Ａ２には、設定時刻「１０：００：１０」と、この時刻に当該項目の設定後情報「５：００」および設定前情報「３：００」を表示する。
【００２３】
この表示により、「ディッチ１号ＤＯ設定値」は、「１０時００分１０秒」に「３：００％」から「５：００％」に数値設定されたことをオペレータが確認することができ、この確認を基に次の設定を行うことができる。
【００２４】
したがって、本実施形態による操作ウィンドウの表示方法によれば、機器操作または数値設定操作に際して、オペレータは操作ウィンドウ画面からメッセージリスト画面に切り替えることなく、直前の操作履歴を知ることができ、この操作履歴の十分かつ確実な認識の基に次の操作を行うことができる。
【００２５】
図２は、本発明の他の実施形態を示す操作ウィンドウ画面であり、（ａ）には機器操作ウィンドウ画面を、（ｂ）には数値設定ウィンドウ画面を示す。
【００２６】
同図が図１と異なる部分は、操作ウィンドウ画面に操作履歴ボタンＢ１，Ｂ２を設け、これらボタンＢ１，Ｂ２を選択操作したときに、１日当たりの操作履歴情報をメッセージウィンドウで表示する機能を追加した点にある。
【００２７】
図２の（ａ）に示す機器操作ウィンドウでは、機器の操作履歴ボタンＢ１を選択操作すると、図２の（ｃ）に機器操作用メッセージウィンドウを示すように、当日の機器操作履歴を一括表示する。表示形式は、履歴表示部Ａ１と同じものとする。
【００２８】
図２の（ｂ）に示す数値設定ウィンドウでは、数値設定の操作履歴ボタンＢ２を選択操作すると、図２の（ｄ）に数値設定用メッセージウィンドウを示すように、当日の数値設定履歴を一括表示する。表示形式は、履歴表示部Ａ２と同じものとする。
【００２９】
したがって、本実施形態では、操作履歴ボタンＢ１やＢ２を選択操作することで、履歴表示部分Ａ１やＡ２の履歴も含めた当日の操作履歴を確認することができる。この機能により、例えば今回の操作を当日の直前の操作状態とは異なる操作状態を確認するのを容易にする。
【００３０】
図３は、本発明の他の実施形態を示す操作ウィンドウの表示手順であり、（Ｓ１）監視制御画面上のシンボルＣ（または文字列）をマウス等で選択したときに、（Ｓ２）操作ウィンドウとメッセージウィンドウを同時に表示する。この表示形式は、図２と同様のものとする。
【００３１】
図２の場合には操作ウィンドウ表示とその操作履歴を確認するには、オペレータが操作履歴ボタンＢ１，Ｂ２を操作することを必要とするのに対し、本実施形態ではオペレータがシンボルＣを選択操作したときにメッセージウィンドウも一括表示され、１挙動操作で済む。
【図面の簡単な説明】
【００３２】
【図１】本発明の実施形態を示す操作ウィンドウ画面。
【図２】本発明の他の実施形態を示す操作ウィンドウ画面とメッセージウィンドウ画面。
【図３】本発明の他の実施形態を示す操作ウィンドウの表示手順。
【図４】監視制御システムの従来の操作ウィンドウ画面の例。
【図５】監視制御システムの従来のメッセージリスト画面の例。
【符号の説明】
【００３３】
Ａ１，Ａ２  履歴表示部
Ｂ１，Ｂ２  操作履歴ボタン
Ｃ  操作ウィンドウ表示の選択操作用シンボル
【図３】
2008102647.tif 000003
【図５】
2008102647.tif 000004
【図１】
2008102647.tif 000005
【図２】
2008102647.tif 000006
【図４】
2008102647.tif 000007